(57)【要約】      （修正有）【課題】ガセットタイプのパウチのような、パウチの自立時に広い底面で安定した自立性を有し、内容物が少なくなっても安定して自立可能とし、パウチの自立時に、パウチの胴部にシワや窪みが生じることのない、優れた意匠性を有する新しい形態のスタンドパウチを提供する。【解決手段】自立可能な底部分を有するスタンドパウチにおいて、該スタンドパウチの左右それぞれの縦方向のシールと前記底部分との間に、斜めに傾斜した斜めシール部を有するスタンドパウチであって、斜めシール部は、複数段の斜めシールから構成されるスタンドパウチである。【選択図】図１
2008174288.tif 000002
【特許請求の範囲】
【請求項１】
自立可能な底部分を有するスタンドパウチにおいて、該スタンドパウチの左右それぞれの縦方向のシールと前記底部分との間に、斜めに傾斜した斜めシール部を有するスタンドパウチであって、前記斜めシール部は、複数段の斜めシールから構成されることを特徴とする、スタンドパウチ。
【請求項２】
前記複数段の斜めシールは、ヒートシールの内側部分にのみ形成されることを特徴とする、請求項１記載のスタンドパウチ。
【請求項３】
前記複数段の斜めシールは、上段の斜めシールと下段の斜めシールとの、２段階の斜めシールからなることを特徴とする、請求項１乃至２記載のスタンドパウチ。
【請求項４】
前記ヒートシールの内側部分に形成された前記斜めシール部の形状と、ヒートシールの外側部分のシール形状とが、異なる形状であることを特徴とする、請求項１乃至３記載のスタンドパウチ。
【発明の詳細な説明】
【技術分野】
【０００１】
本発明は、自立可能な底部分を有するスタンドパウチに関し、特に、自立時のスタンドパウチの胴部にシワや窪みを生じることのない、自立性および意匠性の高いスタンドパウチに関する。
【背景技術】
【０００２】
従来、液体洗剤やシャンプー、リンスなどの詰め替え用の液体や、食品や調味料等の固形、粉体などを内容物とする自立可能な包装体（スタンドパウチ）が知られている。この種のスタンドパウチは、内容物を収容することで、スタンドパウチの胴部や底部が膨らみ、特に、底部分が略平面形状の自立面を形成することにより、スタンドパウチの自立が可能となる構成である。
【０００３】
このようなスタンドパウチは、パウチを起立させた状態とすることができるため、販売時の陳列や、消費者が購入後の保管等に便利であり、さらには、使用時においても、内容物を、ボトル等の他の容器に移し替える手間を必要とせず、そのままの状態で使用することができるため、利便性に優れている。
【０００４】
しかしながら、前記スタンドパウチは、自立面である底部分が、図１２（ａ）に示すような、舟底タイプのスタンドパウチや、図１２（ｂ）に示すような、ガセットタイプのスタンドパウチなどの、様々な底部分を有し、該底部分の形状によって、パウチの自立安定性、開口部の大きさ、内容物の充填量などに違いがある。
【０００５】
例えば、図１２（ａ）に示すような、従来の船底タイプの底部分を有するスタンドパウチ２０においては、内容物を取り出すための開口部を大きく形成することが可能であるが、内容物の充填量が少なく、また、パウチの自立部分が、底部のシール部分で線接触により自立するため、自立時の安定性が悪いという欠点がある。特に、内容物が少なくなると、パウチが倒れやすいという問題がある。また、パウチに印刷を施す際に、胴部と底部とのフィルム面に連続して印刷を施すことが困難である。
【０００６】
他方、図１２（ｂ）に示すような、従来のガセットタイプのスタンドパウチ３０においては、広い自立面を形成することが可能であり、パウチの底面部分で面接触して自立するため自立時の安定性に優れており、さらには、内容物を最も多く充填することが可能であるが、パウチの側面部分に折込み部が形成されるため、開口部の大きさが小さく、内容物を取り出し難いという欠点がある。また、パウチに印刷を施す際に、パウチの側面部分が折り込まれているため、側面部分の印刷の見栄えが良くないという問題がある。
【０００７】
また、実際にこれらのスタンドパウチを使用する消費者に対して、ユーザビリティ評価をしたところ、以下のような問題点があることがわかった。
１、パウチの自立時に、安定感がなく、何度かパウチを倒してしまい、内容物をこぼしたことがある。
２、パウチの開け口（開口部）が狭く、スプーンを入れにくく、内容物を取り出しにくい。
３、内容物が多く入っているときはよいが、少なくなってくるとパウチの安定感がなくなり倒れそうになる。
【発明の開示】
【発明が解決しようとする課題】
【０００８】
本発明はこのような問題点を解決するためになされたものであり、その課題は、主に、自立可能なスタンドパウチであって、ガセットタイプのパウチのような、パウチの自立時に広い底面で安定した自立性を有し、内容物が少なくなっても安定して自立可能とし、従来の舟底タイプのスタンドパウチに比べ内容物の充填量を向上し、さらには、パウチ使用時に、大きな開口部を形成して内容物を取り出しやすくするとともに、パウチの自立時に、パウチの胴部にシワや窪みが生じることのない、優れた意匠性を有する新しい形態のスタンドパウチを提供することである。さらには、スタンドパウチの使用性を向上して、様々な人が快適に使用可能なユニバーサルデザインに基づくスタンドパウチを提供することを課題とする。
【課題を解決するための手段】
【０００９】
そこで、これらの課題を解決するため、本発明の請求項１記載の発明は、自立可能な底部分を有するスタンドパウチにおいて、該スタンドパウチの左右それぞれの縦方向のシールと前記底部分との間に、斜めに傾斜した斜めシール部を有するスタンドパウチであって、前記斜めシール部は、複数段の斜めシールから構成されることを特徴とする、スタンドパウチである。
【００１０】
また、請求項２記載の発明は、前記複数段の斜めシールは、ヒートシールの内側部分にのみ形成されることを特徴とする、スタンドパウチである。
【００１１】
また、請求項３記載の発明は、前記複数段の斜めシールは、上段の斜めシールと下段の斜めシールとの、２段階の斜めシールからなることを特徴とする、スタンドパウチである。
【００１２】
また、請求項４記載の発明は、前記ヒートシールの内側部分に形成された前記斜めシール部の形状と、ヒートシールの外側部分のシール形状とが、異なる形状であることを特徴とする、スタンドパウチである。
【発明の効果】
【００１３】
本発明の請求項１記載の発明は、自立可能な底部分を有するスタンドパウチにおいて、該スタンドパウチの左右それぞれの縦方向のシールと前記底部分との間に、斜めに傾斜した斜めシール部を有するスタンドパウチであって、前記斜めシール部は、複数段の斜めシールから構成されることを特徴とするから、優れた自立性と使用性を有するスタンドパウチを提供することが可能である。特に、斜めシール部に工夫を施すことにより、スタンドパウチの自立時に、スタンドパウチの胴部にシワや窪みが生じることなく、パウチの安定した膨らみと、優れた自立性とを奏することが可能である。
【００１４】
また、請求項２記載の発明は、前記複数段の斜めシールは、ヒートシールの内側部分にのみ形成されることを特徴とするから、スタンドパウチの外側シール形状をそのままに、パウチの自立性、膨らみ性を向上することが可能である。さらには、パウチの自立安定性や胴部保型性が向上する効果がある。
【００１５】
また、請求項３記載の発明は、前記複数段の斜めシールは、上段の斜めシールと下段の斜めシールとの、２段階の斜めシールからなることを特徴とする簡単な構成により、スタンドパウチの自立時に、スタンドパウチの胴部にシワや窪みが生じることなく、パウチの安定した膨らみと優れた自立性および保型性を有するスタンドパウチを提供することが可能である。
【００１６】
また、請求項４記載の発明は、前記シールの内側部分に形成された斜めシールの形状と、シールの外側部分のシール形状とを、異ならせたことを特徴とする簡単な構成により、パウチのシール部分の強度が高まり、パウチの自立安定性および胴部保型性が向上する効果がある。
【発明を実施するための最良の形態】
【００１７】
本発明に係るスタンドパウチ１０（パウチ１０）の一例としては、図１に示すように、１枚のフィルムを折り込み表裏の面を形成するとともに、底部分５のフィルムを内側へと折り込んだ状態で、フィルムの上部分と、左右部分と、底部分の両側を斜めにヒートシールしてなる、ワンピーススタンドパウチ１０であって、内容物の充填に伴いパウチ１０の底部分５が膨らんで、胴部と自立面とが連続したフィルムからなる底部分５を形成する。よって、胴部３から底部分５にかけて、フィルムが連続して滑らかに繋がり、底部分５に大きな平面部分からなる自立面５が形成されることにより、パウチ１０の安定した自立が可能である。
【００１８】
特に、スタンドパウチ１０の縦方向のシールＳ（サイドシールＳ）と、底部分５との間には、複数段の斜めシールＮ１、Ｎ２からなる斜めシール部Ｎが形成されており、パウチ１０の胴部３にシワや窪みが形成されることなく、パウチ１０の膨らみを良好とする胴部保型効果を奏することが可能である。
【００１９】
本発明のスタンドパウチ１０は、詳しくは、図２に示すように、パウチ１０の中央部分に、予め所定の方法により内容物が充填される未シール部分からなる胴部３を有し、該胴部３の上部シールＴ（トップシールＴ）と、左右のサイドシールＳと、サイドシールの下方から底部分にかけて斜めに傾斜した斜めシール部Ｎと、にそれぞれヒートシールが施されスタンドパウチ１０を形成している。そして、前記サイドシールＳの上方には、開封方向へと凸形状の切り込みからなるノッチ４が形成されており、該ノッチ４を起点に、胴部３を横切り水平方向へとトップシールＴを切り取ることにより、パウチ１０の開封を行なう構成である。
【００２０】
特に、前記サイドシールＳと、底部分５との間には、前記サイドシールＳに連設する上段の斜めシールＮ１と、前記底部分５と連設する下段の斜めシールＮ２とが互いに連設して２段階の斜めシール部Ｎを形成している。このように、底部分５から、左右のサイドシールＳにかけて、複数段の斜めシールＮ１、Ｎ２を形成することにより、内容物を充填した際に、パウチ１０の胴部３にシワや窪みＢが形成されることなく、胴部３のフィルムを良好に膨らませることが可能となる。
【００２１】
例えば、パウチの前記斜めシール部Ｎが、一段の斜めシールＮの場合では、図３に示すように、内容物の充填に伴い、パウチ２０の胴部が膨らみ自立面５を形成するが、内容物の詰り具合によっては、胴部下方３の左右部分にシワや窪みＢが生じやすく（図中点線円）、パウチ２０の意匠性のみならず自立性を低下してしまう恐れがある。
【００２２】
よって、前記斜めシール部Ｎを、複数段の斜めシールＮ１，Ｎ２とすることにより、図４に示すように、胴部３にシワや窪みが形成されることなく、パウチ１０を良好に膨らませることが可能であり、優れた胴部保型性および安定した自立性を奏することが可能である。すなわち、スタンドパウチ１０の底部分５は、斜めシール部Ｎと、サイドシールＳとで囲まれた不連続な面を有するが、斜めシール部Ｎを、複数段とすることにより、サイドシールＳと底部分５との間に生じるフィルムの撓みを抑え、斜めシール部Ｎのフィルムを良好に膨らませることが可能である。
【００２３】
このように、本発明のスタンドパウチ１０は、自立可能な底部分を有するスタンドパウチにおいて、該スタンドパウチの左右それぞれの縦方向のシールと前記底部分との間に、斜めに傾斜した斜めシール部を有するスタンドパウチであって、前記斜めシール部は、複数段の斜めシールからなる簡単な構成により、良好な胴部保型性を有し、かつ安定した自立性を有するスタンドパウチ１０を提供することが可能である。よって、優れた意匠性、使用性を有するスタンドパウチを提供することが可能である。
【００２４】
本発明のスタンドパウチ１０は、上記例に限定されることはなく、例えば、以下の実施例１〜５に示すような工夫を講じることにより、さらに使用性（リクローズ性、注出性、開封性）を向上したユニバーサルデザインに基づくスタンドパウチを提供することが可能である。
【００２５】
（実施例１）
例えば、複数段の前記斜めシールＮ１、Ｎ２は、パウチ１０の内側部分にのみ形成してもよく、例えば、図５に示すように、縦シールＳと自立面５との間に形成された斜めシール部Ｎの、内側シール部分にのみ、複数段の斜めシールＮ１、Ｎ２を形成してもよい。
この場合、斜めシール部Ｎの内側シール部分に、２段階の異なる角度からなる上段斜めシールＮ１および下段斜めシールＮ２をそれぞれ形成する。そして、外側シール部分を略円弧形状のシール形状とすることにより、底部分５の内側シール形状と外側シール形状とのそれぞれのシール形状を異ならせる。
【００２６】
これにより、図６に示すように、スタンドパウチ１０の胴部３を良好に膨らませることが可能であるとともに、内側シール部分のシール形状と外側シール部分のシール形状とを異ならせることにより、斜めシール部分Ｎの強度を向上させることが可能である。よって、さらなるシワ防止の効果があり、パウチの胴部保型性、自立安定性をさらに向上することが可能である。
【００２７】
（実施例２）
また、上記構成のスタンドパウチ１０に加えて、図７に示すように、開閉封自在なジッパＪをパウチの内側に一体形成してもよく、パウチ１０の再封（リクローズ）が可能となる。特に、本発明のスタンドパウチは、開口部にジッパＪを形成した際にも、図８に示すように、大きな開口部Ｋを形成することが可能であり、スプーン等を用いて、内容物を容易かつ安定して取り出すことが可能である。
【００２８】
（実施例３）
また、本発明のスタンドパウチ１０は、図９に示すように、ヒートシールパターンに工夫を講じてパウチの一隅に注出部Ｆを形成してもよく、これにより、内容物をボトル等に移し替えることなく、スタンドパウチから直に内容物を注出することが可能であり、使用性を向上したスタンドパウチを提供することが可能である。
【００２９】
（実施例４）
さらには、図１０に示すように、スタンドパウチの開口部に、熱可塑性樹脂からなるスパウトＰ等の別部材を取り付けて、スタンドパウチ１０の注出性のみならず携帯性をも向上した、使用性に優れたスタンドパウチを提供することが可能である。
【００３０】
（実施例５）
また、本発明のスタンドパウチ１０は、パウチの初期開封時にフィルムの一端を切除する際の開封性を向上するために、図１１に示すように、初期開封時に切除されるトップシールＴの左右に、幅広なシール部分かなる把持部Ｈを形成するとともに、サイドシールＳの内側シール部分を、開口部にかけて斜めに傾斜したシール形状とすることにより、ノッチ４直下のサイドシールＳに、幅広なシール部分かなる把持部Ｈを形成してもよい。これにより、パウチの初期開封時に、幅広なシール部分からなる前記把持部Ｈをつまみ、力を加えてパウチのフィルムを開封切除することが可能である。
よって、シャンプーや洗剤等を内容物としたパウチ１０の場合、たとえ濡れた手でパウチの開封操作を行なっても、幅広なシール部分からなる把持部Ｈを強固につまんで、フィルムをつまむ指先が滑ることなく、容易にパウチ１０を開封することが可能である。
【００３１】
以上のように、本発明のスタンドパウチ１０は、パウチ自立時にシワや窪みが生じることを防ぎ、胴部の安定した膨らみを維持することが可能な胴部保型性を有し、優れた自立性、意匠性を有するスタンドパウチ１０を提供することが可能である。さらには、該スタンドパウチに様々な工夫を講じることにより、使用性（リクローズ性、注出性、開封性）をも向上したユニバーサルデザインに基づくスタンドパウチを提供することが可能であ
る。
【００３２】
特に、本発明のスタンドパウチ１０は、従来の舟底タイプのパウチと違って、底部分に沿ったヒートシール部分が形成されないため、従来の舟底タイプのスタンドパウチと比較して、フィルムの使用を５パーセント程度削減することが可能である。また、底部分へのピッチ印刷が容易であり、容積率も３０パーセント程アップする効果がある。
【００３３】
本発明のスタンドパウチの製造に用いるフィルムは、主にプラスチックを主体とする積層フィルムが用いられるが、特に限定はされず、各種パウチに用いられている公知の積層フィルムは、いずれも使用できる。これらの中から、包装する内容物の種類や充填後の加熱処理の有無など使用条件に応じて適するものを自由に選択して使用することができる。好ましく使用できる積層フィルムの構成の具体例として、以下のようなものが挙げられる。
【００３４】
（１） ＯＮフィルム／接着剤／Ｌ・ＬＤＰＥフィルム（シーラント層）
（２）ＯＮフィルム／接着剤／一軸延伸ＨＤＰＥフィルム／接着剤／Ｌ・ＬＤＰＥフィルム（シーラント層）
（３） ＯＮフィルム／接着剤／一軸延伸ＰＰフィルム／接着剤／Ｌ・ＬＤＰＥフィルム（シーラント層）
（４）ＯＮフィルム／接着剤／一軸延伸ＰＰフィルム／接着剤／アルミニウム箔／接着剤／Ｌ・ＬＤＰＥフィルム（シーラント層）
（５）ＯＮフィルム（シリカ蒸着層）／接着剤／一軸延伸ＨＤＰＥフィルム／接着剤／Ｌ・ＬＤＰＥフィルム（シーラント層）
（６）ＯＮフィルム／アンカーコート層／共押し出しコート層（ＨＤＰＥ層／Ｌ・ＬＤＰＥ層）（シーラント層はＬ・ＬＤＰＥ層）
（７）ＯＮフィルム／アンカーコート層／共押し出しコート層（ＨＤＰＥ層／ＬＤＰＥ層）／接着剤／Ｌ・ＬＤＰＥフィルム（シーラント層）
（８）ＰＥＴフィルム／接着剤／アルミニウム箔／接着剤／ＯＮフィルム／接着剤／Ｌ・ＬＤＰＥフィルム（シーラント層）
（９）ＰＥＴフィルム／接着剤／アルミニウム箔／接着剤／ＯＮフィルム／接着剤／ＣＰＰフィルム（シーラント層）
（１０）ＰＥＴフィルム／接着剤／ＯＮフィルム／接着剤／アルミニウム箔／接着剤／Ｌ・ＬＤＰＥフィルム（シーラント層）
（１１）ＰＥＴフィルム／接着剤／ＯＮフィルム／接着剤／アルミニウム箔／接着剤／ＣＰＰフィルム（シーラント層）
（１２）ＰＥＴフィルム／接着剤／ＥＶＯＨフィルム／接着剤／ＯＮフィルム／接着剤／ＣＰＰフィルム（シーラント層）
などが挙げられるが、これらに限定されるものではなく様々な組み合わせの積層フィルムを使用することができる。
【００３５】
なお、上記において、ＯＮフィルムは２軸延伸ナイロンフィルム、Ｌ・ＬＤＰＥは直鎖状低密度ポリエチレン、ＨＤＰＥは高密度ポリエチレン、ＬＤＰＥは低密度ポリエチレン、ＰＰフィルムはポリプロピレンフィルム、ＰＥＴフィルムは２軸延伸ポリエチレンテレフタレートフィルム、ＥＶＯＨフィルムはエチレン−酢酸ビニル共重合体ケン化物フィルム、ＣＰＰフィルムは無延伸ポリプロピレンフィルムを指すものである。また、アンカーコートは、押し出しコーティングで樹脂を積層する際、接着性を向上させるために基材フィルム側に予めコーティング前記の積層フィルムの構成において、ＯＮフィルム、ＰＥＴフィルムは、基材フィルムとしてパウチに機械的強度や印刷適性を付与し、一軸延伸ＨＤＰＥフィルム、一軸延伸ＰＰフィルムは、その延伸方向がパウチを開口させる際の引き裂き方向と一致するように用いることにより、引き裂きの方向性を一層安定化させることができる。そして、アルミニウム箔、シリカ蒸着層、ＥＶＯＨフィルムなどは、ガスバリヤー性を付与するために積層するものである。また、シーラント層としては、Ｌ・ＬＤＰＥフィルムとＣＰＰフィルムの２種類の例を挙げたが、Ｌ・ＬＤＰＥフィルムは、ヒートシールの安定性や耐内容物性、例えば界面活性剤に対する耐ストレスクラッキング性などに優れ、ＣＰＰフィルムは、耐熱性、低臭性に優れており、これらの性能を必要とする内容物の包装用に適している。
【００３６】
シーラント層には上記のほか、充填される内容物に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂なども適宜選択して使用することができる。特に、エチレン・αオレフィン共重合体でメタロセン系触媒を用いて重合したものは、分子量分布の幅が狭く、共重合比も安定しているため、低温ヒートシール性や、熱間シール性に優れており、ガセットパウチ、スタンディングパウチなどヒートシール部にフィルムの重なりの差による段差のあるパウチのシーラント層にはシール抜けによるピンホールの発生を防止できる点で適している。更に、該共重合体にオレフィン系エラストマーをブレンドしたものを用いることにより、シーラント層の熱流動性が改善され、前記段差によるピンホールの発生も一層効果的に防止することができる。
【００３７】
本発明のスタンドパウチ１０に充填する内容物の一例としては、例えば、粉末状の調味料やインスタントコーヒー等の粉末飲料類、さらには、詰め替え用のシャンプーや洗剤、流動食などが挙げられる。また、スタンドパウチ１０の形状は特に限定されるものではなく、本発明のスタンドパウチの底部分形状を適宜用いて、スタンドパウチ１０の「胴部保型性」および「自立安定性」、さらには「意匠性」や「使用性」を向上したスタンドパウチを提供することが可能である。
【図面の簡単な説明】
【００３８】
【図１】本発明のスタンドパウチの一例を示す図である。
【図２】本発明のスタンドパウチを示す正面図である。
【図３】スタンドパウチを示す説明図である。
【図４】本発明のスタンドパウチを示す説明図である。
【図５】本発明のスタンドパウチの別の例を示す正面図である。
【図６】本発明のスタンドパウチを示す説明図である。
【図７】本発明のスタンドパウチのさらに別の例を示す図である。
【図８】本発明のスタンドパウチを示す説明図である。
【図９】本発明のスタンドパウチのさらに別の例を示す図である。
【図１０】本発明のスタンドパウチのさらに別の例を示す図である。
【図１１】本発明のスタンドパウチのさらに別の例を示す図である。
【図１２】（ａ）（ｂ）従来のスタンドパウチを示す図である。
【符号の説明】
【００３９】
３  胴部
４  ノッチ
５  底部分（自立面）
１０  スタンドパウチ
Ｓ  サイドシール（縦方向のシール）
Ｔ  トップシール（横方向のシール）
Ｎ  斜めシール部
Ｎ１  斜めシール（上段斜めシール）
Ｎ２  斜めシール（下段斜めシール）
Ｂ  シワ（窪み）
Ｋ  開口部
Ｐ  スパウト
Ｆ  注出部
Ｈ  把持部
【図１】
2008174288.tif 000003
【図２】
2008174288.tif 000004
【図３】
2008174288.tif 000005
【図４】
2008174288.tif 000006
【図５】
2008174288.tif 000007
【図６】
2008174288.tif 000008
【図７】
2008174288.tif 000009
【図８】
2008174288.tif 000010
【図９】
2008174288.tif 000011
【図１０】
2008174288.tif 000012
【図１１】
2008174288.tif 000013
【図１２】
2008174288.tif 000014